(57)【要約】      （修正有）【課題】器具載置台の下面にキャスターを取付けることで地震発生時の揺れで水平移動し得る（転倒作用力を緩和し得る）ようにしたものにおいて、該移動による一方向への暴走が起こらないようにするためのキャスター受皿を提供する。【解決手段】テレビ等の器具１を載置し得る載置台２の下面四隅付近に取付けた各キャスター２１，２１・・をそれぞれ個別に載せ得るキャスター受皿４において、所定面積を有した硬質材からなる板状体の上面に中心が窪んだ凹球面４２を形成する。この形状により、この受皿４を各キャスター２１の下に敷設すると、地震発生時の揺れで器具付き載置台２が移動する範囲を制限することができる（器具付き載置台が暴走しない）。【選択図】図４
0003177151.tif 000002
【実用新案登録請求の範囲】
【請求項１】
テレビ等の器具（１）を載置し得る載置台（２）の下面四隅付近に取付けた各キャスター（２１，２１・・）をそれぞれ個別に載せ得るキャスター受皿（４）であって、所定面積を有した硬質材からなる板状体（４１）の上面に中心（Ｐ）が窪んだ凹球面（４２）を形成していることを特徴とする器具載置台のキャスター受皿。
【請求項２】
請求項１において、板状体（４１）の上面の外周縁部に所定小高さ（Ｈ1）の凸周壁（４３）を形成していることを特徴とする器具載置台のキャスター受皿。
【請求項３】
請求項１又は２において、凹球面（４２）の中心（Ｐ）から所定半径（Ｒ1，Ｒ2）だけ離間した位置に所定小高さ（Ｈ2）の環状の段上げ部（４４）を形成していることを特徴とする器具載置台のキャスター受皿。
【考案の詳細な説明】
【技術分野】
【０００１】
本願考案は、キャスター付きの器具載置台のキャスターを載せるためのキャスター受皿に関し、特に大きな地震発生時に器具付き載置台が転倒するのを防止し得る機能を備えた器具載置台のキャスター受皿に関するものである。
【背景技術】
【０００２】
この種の器具付き載置台の器具の代表例としてテレビがあるが、テレビは一般に所定高さの載置台（テレビ台）上に載せて設置される場合が多い。又、テレビの脚部（支持台）は、面積が比較的小さく設計されている一方、上部の画面部にかなりの重量があるので、バランス的に不安定である。そして、大きな地震が発生したときには、該テレビが載置台（テレビ台）上で転倒することがあるとともに、ときには該テレビが載置台上から転落するおそれがあった。
【０００３】
そこで、従来から、テレビの脚部（支持台）を載置台（テレビ台）上に固定して、該テレビが載置台上で転倒しないようにしたものがある。尚、テレビを載置台上に固定するための装置として、本出願人は実用新案登録第３１６９８０４号のものを提案している。
【０００４】
ところで、テレビを載置台上に固定したものでは、該テレビが載置台に対して分離・転倒することはないが、テレビ固定式の載置台では、テレビ上部の画面部にかなりの重量があってバランス的に不安定であるので、大きな地震が発生したときにはテレビ付き載置台ごと転倒することが考えられる。そして、このように、器具（テレビ）付き載置台ごと転倒すると、非常に危険である（人に当たると怪我をする）とともに、画面部が硬質物品（例えばテーブルの角部）に衝突すると簡単に破損してしまう。
【０００５】
ところで、従来から、器具載置台の下面にキャスターを取付けて、器具（テレビ）付き載置台ごと床面上をキャスターで移動させ得るようにしたものがある。この種のキャスター付きの器具載置台では、地震による揺れ発生時に、キャスターが床面上を転動する（キャスターと床面とが相対移動する）ことで器具付き載置台の転倒作用力を緩和する機能を有しているが、地震（揺れ）により器具付き載置台がキャスターにより床面上を移動し始めると、その移動が制御できなくなり、該器具付き載置台が暴走してどこかに衝突する危険性が高くなる。
【考案の概要】
【考案が解決しようとする課題】
【０００６】
そこで、本願考案は、器具載置台の下面（四隅）にキャスターを取付けることで、地震発生時の揺れで水平移動し得る（転倒作用力を緩和し得る）ようにしたものにおいて、該移動による一方向への暴走が起こらないようにするためのキャスター受皿を提供することを目的としてなされたものである。
【課題を解決するための手段】
【０００７】
本願考案は、上記課題を解決するための手段として次の構成を有している。
【０００８】
本願考案は、テレビ等の器具を載置し得る載置台の下面四隅付近に取付けた各キャスターをそれぞれ個別に載せ得る器具載置台のキャスター受皿を対象にしたもので、載置台下面に取付けられたキャスター個数（４個）と同数（４個）のキャスター受皿を１組として使用される。そして、本願考案に係るキャスター受皿は、次の構成を有している。
【０００９】
［本願請求項１の考案］
本願請求項１の考案に係るキャスター受皿は、所定面積を有した硬質材からなる板状体の上面に中心が窪んだ凹球面を形成していることを特徴としている。
【００１０】
キャスター受皿を構成する板状体の材質としては、硬質材であれば適宜の材料を使用できるが、製作面やコスト面から例えば硬質プラスチック製のものが好適である。
【００１１】
又、該板状体の大きさ・形状等は、特に限定するものではないが、例えば直径が１２０mm、厚さが１５mm程度の大きさのものを採用できる。
【００１２】
この板状体に形成されている凹球面は、該板状体の上面部の全面に亘って形成することが好ましい。又、該凹球面の中心部の深さは、特に限定するものではないが、１０mm程度に設定することができる。
【００１３】
このように、本願考案のキャスター受皿は、上面が凹球面となっているので、該受皿の外周寄り部分は受皿中心に向かって下降傾斜している。尚、板状体の凹球面は平滑加工しておくことが好ましい。
【００１４】
本願考案のキャスター受皿は、次のように使用される。即ち、この各キャスター受皿（４個）は、キャスター付き器具載置台の各キャスター（４箇所）の下にそれぞれ配置されるが、その際、各キャスター（転動輪）の下端が各受皿の中心に載るように配置する。このようにキャスター（転動輪）を受皿の中心に載せた状態では、キャスター接地部分が凹球面の底部（凹球面の外周寄りは底部から昇り傾斜している）であるので、通常時は各キャスターが不用意に受皿上で水平移動することはない。
【００１５】
又、この設置状態で、大きな地震（揺れ）が発生すると、床面が揺れることで器具載置台の各キャスターが各受皿上で同時に相対移動（転動）するようになるが、このように各キャスターが器具載置台ごと相対移動すると、該器具載置台の転倒作用力を緩和（軽減）することができる。
【００１６】
他方、各キャスターがそれぞれの受皿上で相対移動する際に、各キャスターが各受皿（凹球面）の外周寄り部分まで移動したときには、該凹球面の外周寄り部分が中心に向けて下降傾斜しているので、各キャスターをそれぞれ受皿の中心側に戻そうとする作用が働く。その結果、地震による揺れ発生中は、各キャスターがそれぞれの受皿上（凹球面の範囲内）で往復移動するようになり、各キャスターが各受皿上から不用意に脱落しにくくなる。尚、地震による揺れが非常に大きいときには、各キャスターが各受皿上から脱落するまで移動することも考えられるが、該各キャスターが各受皿上から脱落しても、器具付き載置台が床面に対して移動し得る状態（キャスターが床面上を移動し得る状態）を維持しているので、該器具付き載置台の転倒が起こりにくいという機能は継続している。
【００１７】
［本願請求項２の考案］
本願請求項２の考案は、上記請求項１のキャスター受皿において、板状体の上面の外周縁部に所定小高さの凸周壁を形成したものである。
【００１８】
この請求項２のキャスター受皿における上記凸周壁は、全周に亘って連続する環状に形成することができるが、周方向に間欠的（不連続）に形成したものでもよい。又、この凸周壁の高さは、特に限定するものではないが例えば４〜６mm程度が適当である。
【００１９】
ところで、地震発生時には、上記のように器具載置台下面のキャスターが板状体上面（凹球面）上で往復移動し、そして揺れが非常に大きいときには該キャスターが板状体の外周部から脱落することがあるが、この請求項２のキャスター受皿のように、板状体上面の外周縁部に凸周壁を形成したものでは、キャスターが板状体の外周付近まで移動したときに該キャスターが凸周壁に衝突するようになるので、該凸周壁がキャスター移動時のストッパーとして機能するようになる。
【００２０】
［本願請求項３の考案］
本願請求項３の考案は、上記請求項１又は２のキャスター受皿において、凹球面の中心から所定半径だけ離間した位置に所定小高さの環状の段上げ部を形成したものである。
【００２１】
この請求項３のキャスター受皿における上記段上げ部は、凹球面の中心から半径方向に離間した１箇所だけでもよいが、該半径を異にする複数箇所（例えば２〜３箇所）に設けてもよい。
【００２２】
又、該段上げ部の高さは、例えば２mm程度の比較的低いのもであり、地震による揺れでキャスターが移動するときに該キャスターが段上げ部で抵抗を受けた後、該段上げ部を乗り越え得るように設定している。
【考案の効果】
【００２３】
［本願請求項１の考案の効果］
本願請求項１のキャスター受皿を使用すると、地震発生時（大きな揺れが発生時）において器具付き載置台の各キャスターが各受皿上面（凹球面）で往復移動するので、器具付き載置台の転倒作用力を吸収できる（転倒しにくくなる）とともに、各キャスターが受皿上面の範囲内で往復移動するようになる（受皿上面から脱落しにくくなる）。
【００２４】
従って、本願考案のキャスター受皿は、板状体の上面に凹球面を形成したという簡単な構成で、地震発生時において器具付き載置台が転倒するのを防止できるとともに、該器具付き載置台が床面上を暴走するのを阻止できるという効果がある。
【００２５】
［本願請求項２の考案の効果］
本願請求項２の考案は、上記請求項１のキャスター受皿において、板状体の上面の外周縁部に所定小高さの凸周壁を形成しているので、地震による大きな揺れでキャスターが板状体の外周付近まで移動したときに該キャスターが凸周壁に衝突するようになる。
【００２６】
従って、この請求項２のキャスター受皿では、上記請求項１の効果に加えて、板状体外周縁部の凸周壁がキャスター移動時のストッパーとして機能し、大きな揺れが発生したときでも該キャスターが板状体上から脱落しにくくなるという効果がある。
【００２７】
［本願請求項３の考案］
本願請求項３の考案は、上記請求項１又は２のキャスター受皿において、凹球面の中心から所定半径だけ離間した位置に所定小高さの環状の段上げ部を形成しているので、地震による揺れでキャスターが移動するときに該キャスターが段上げ部で抵抗を受けた後、該段上げ部を乗り越えるようになる。
【００２８】
従って、この請求項３のキャスター受皿では、上記請求項１又は２の効果に加えて、地震による揺れ発生時にキャスターが板状体上面（凹球面）で移動し得る機能を残しつつ、板状体上でのキャスターの移動力を緩和できる（キャスターが板状体上から脱落しにくくなる）という効果がある。
【図面の簡単な説明】
【００２９】
【図１】本願第１実施例のキャスター受皿の平面図である。
【図２】図１のキャスター受皿のII−II断面図である。
【図３】図１のキャスター受皿を器具付き載置台のキャスター載せ台として使用した状態の斜視図である。
【図４】図３の側面図相当図である。
【図５】図４の使用状態でのキャスター受皿の作用説明図である。
【図６】本願第２実施例のキャスター受皿の平面図である。
【図７】図６のキャスター受皿のIIV−IIV断面相当図である。
【考案を実施するための形態】
【００３０】
［実施例］
図１〜図７を参照して、本願実施例の器具載置台のキャスター受皿を説明すると、図１〜図５には本願第１実施例が示され、図６及び図７には同第２実施例が示されている。尚、図１〜図５に示す第１実施例のキャスター受皿は、本願請求項１のみに対応するものであり、図６〜図７に示す第２実施例のキャスター受皿は、本願請求項１，２及び３のいずれにも対応するものである。
【００３１】
まず、図１〜図５に示す第１実施例のキャスター受皿について説明すると、この第１実施例の受皿４は、図１及び図２に示すように、硬質プラスチック製の板状体４１で製作されている。尚、この受皿４の材料としては、硬質材料製であれば、プラスチック以外のもの（例えば金属材や木材）も使用できる。
【００３２】
本願の各実施例で適用される受皿４の大きさ・形状は特に限定するものではないが、この第１実施例では、図２に示すように直径Ｄが１２０mm程度、厚さＴが１５mm程度の円盤状の板状体４１が採用されている。
【００３３】
そして、この第１実施例のキャスター受皿４は、板状体４１の上面部に中心Ｐが窪んだ凹球面４２を形成して構成されている。尚、この第１実施例では、該凹球面４２の中心Ｐの深さＭは１０mm程度であって、該凹球面４２の曲率半径は、約２００mmに設定されている。
【００３４】
板状体４１の下面には、フエルトのような緩衝材５が貼着されていて、この受皿４を床面Ｆとキャスター２１との間に介設したときに、該床面Ｆに擦り傷が付かないようにしている。
【００３５】
この第１実施例（図１、図２）の受皿４は、図３〜図５に示すように、器具付き載置台２の各キャスター（４つ）２１，２１・・の下に敷設して使用される。
【００３６】
図３及び図４の使用例では、器具１としてテレビが採用されているが、テレビ１は、上部の画面部１１にかなりの重量がある一方、支持台１２部分の面積が比較的狭いので、バランス的に比較的不安定であり、地震発生時に転倒し易いものである。
【００３７】
そこで、図３及び図４の使用例では、テレビ１の支持台１２部分を載置台２の上面に２つの固定具３，３で固定して、該テレビ１と載置台２とを一体化させた状態（器具付き載置台）で取り扱うようにしている。尚、図３及び図４の固定具３，３は、コ型の止具３１でテレビ１の支持台１２と載置台２の上板２０を挟み、ボルト３２，３２で締め付けることによって、支持台１２を載置台２上に固定するようにしたものである。
【００３８】
ところで、テレビ１を載置台２の上面に一体的に固定すると、該テレビ１が単独で転倒することはないが、器具付き載置台２が水平移動しにくい状態のもの（キャスター２１のないもの）では、地震の揺れが大きいときに器具付き載置台２ごと転倒することがある。
【００３９】
そのため（器具付き載置台が転倒すること）の対策として、載置台２の下面四隅にキャスター２１，２１・・を取付けて、地震の揺れに応じて器具付き載置台を床面に対して相対移動させ得るようにすることが有効であるが、キャスター付きの載置台２では、地震（揺れ）によりキャスターが床面上を移動し始めると、その移動が制御できなくなり、該器具付き載置台が暴走してどこかに衝突する危険性が高くなる。
【００４０】
そこで、本願実施例のキャスター受皿は、キャスター２１付きの載置台２であっても、地震による揺れ発生時に、該キャスター２１を受皿４の面積範囲で往復移動させることにより、揺れによる転倒防止機能を確保しつつ、器具付き載置台を暴走を阻止し得るようにしたものである。
【００４１】
そして、図１及び図２に示す第１実施例のキャスター受皿４は、次のように使用される。即ち、この受皿４は、図３及び図４に示すように、器具付き載置台２の各キャスター（４個）２１，２１・・と同数使用して、該各受皿（４個）４，４・・をそれぞれ各キャスター２１，２１・・の下に敷設する。そのとき、各キャスター（転動輪）２１，２１・・の下端がそれぞれ各受皿４，４・・の中心に載るように設置する。このようにキャスター（転動輪）２１を受皿４の中心に載せた状態では、受皿４上面が凹球面４２となっている（中心からいずれの方向も昇り傾斜している）ので、通常時は各キャスター２１，２１・・が不用意に各受皿４．４・・上で水平移動することはない。
【００４２】
又、この設置状態で、大きな地震（揺れ）が発生すると、床面Ｆが揺れることで器具載置台２の各キャスター２１，２１・・が各受皿４，４・・上で相対移動（転動）するようになる。即ち、各キャスター２１，２１が図５において鎖線図示する符号２１Ａと符号２１Ｂとの間で往復移動するようになるが、このように各キャスター２１，２１が器具載置台２ごと相対移動すると、該器具載置台２の転倒作用力を吸収（緩和）することができる。
【００４３】
他方、各キャスター２１，２１がそれぞれの受皿４，４上で相対移動する際に、各キャスター２１，２１が図５に符号２１Ａ又は２１Ｂで示すように各受皿４（凹球面４２）の外周寄り部分まで移動したときには、該凹球面４２の外周寄り部分が中心に向けて下降傾斜しているので、各キャスター２１，２１（器具付き載置台の荷重を受けている）をそれぞれ受皿４，４の中心側に戻そうとする作用が働く。その結果、地震による揺れ発生中は、各キャスター２１，２１がそれぞれの受皿４，４上（凹球面４２の範囲内）で往復移動するので、各キャスター２１，２１が各受皿４，４上から不用意に脱落しにくくなる。尚、地震による揺れが非常に大きいときには、各キャスター２１，２１が符号２１Ｃ，２１Ｃ（図５）で示すように各受皿４，４上から脱落するまで移動することも考えられるが、該各キャスターが各受皿上から脱落しても、器具付き載置台２が床面Ｆに対して移動し得る状態を維持しているので、該器具付き載置台２の転倒が起こりにくいという機能は継続している。
【００４４】
このように、第１実施例のキャスター受皿を使用すると、地震発生時（大きな揺れが発生時）において器具付き載置台２の各キャスター２１，２１が各受皿４，４上面（凹球面４２）の範囲内で往復移動するので、器具付き載置台２の転倒作用力を吸収できる（転倒しにくくなる）とともに、各キャスター２１，２１が各受皿４，４上面の範囲内で往復移動するようになる（キャスター２１が受皿４上面から脱落しにくくなる）。
【００４５】
従って、本願第１実施例のキャスター受皿は、板状体４１の上面に凹球面４２を形成したという簡単な構成で、地震発生時において器具付き載置台２が転倒するのを防止できるとともに、該器具付き載置台２が暴走するのを阻止できるという両機能を達成できる。
【００４６】
図６及び図７に示す第２実施例のキャスター受皿４Ａは、上記第１実施例の受皿４に次の構成を付加したものである。
【００４７】
即ち、この第２実施例（図６及び図７）のキャスター受皿４Ａには、板状体４１の上面の外周縁部に所定小高さＨ1（図７）の凸周壁４３を形成しているとともに、凹球面４２の中心Ｐから所定半径（Ｒ1及びＲ2）だけ離間した位置に所定小高さＨ2の環状の段上げ部４４，４４を形成している。
【００４８】
上記凸周壁４３は、この第２実施例では全周に亘って連続する環状に形成しているが、他の実施例では該凸周壁４３は周方向に間欠的（不連続）に形成したものでもよい。又、この凸周壁４３の高さＨ1（図７）は、この第２実施例では５mm程度（特に限定するものではない）に設定している。
【００４９】
ところで、地震発生時には、器具載置台下面のキャスター２１が板状体４１上面（凹球面４２）上で往復移動し、そして揺れが非常に大きいときには該キャスター２１が板状体４１の外周部から脱落することがある。
【００５０】
そこで、この第２実施例のキャスター受皿４Ａのように、板状体４１上面の外周縁部に凸周壁４３を形成したものでは、キャスター２１が板状体４１の外周付近まで移動したときに（例えば図７の符号２１Ａの位置）、該キャスター（転動輪）が凸周壁４３に衝突するようになる。従って、該凸周壁４３がキャスター移動時のストッパーとして機能し、大きな揺れが発生したときでも該キャスター２１が板状体４１上から脱落しにくくなる。
【００５１】
他方、上記段上げ部４４は、この第２実施例では同心状に２箇所形成している。尚、この段上げ部４４は、凹球面４２の中心Ｐから半径方向に所定距離だけ離間した１箇所だけでもよいが、この第２実施例のものでは該半径を異にする（図６の半径Ｒ1とＲ2）２箇所に設けている。
【００５２】
この各段上げ部４４，４４の高さＨ2（図７）は、例えば２mm程度（特に限定するものではない）の比較的低いものであり、地震による揺れでキャスター２１が移動するときに該キャスター２１が段上げ部４４で抵抗を受けた後、該段上げ部４４を乗り越え得るような高さに設定している。
【００５３】
そして、この各段上げ部４４，４４は、地震による揺れでキャスター２１が移動するときに、該キャスター２１が例えば図７の符号２１Ｄのように段上げ部４４に衝合したときに、該段上げ部４４で抵抗を受けた後、該段上げ部４４を乗り越えるようになる。
【００５４】
従って、この段上げ部４４，４４には、地震による揺れ発生時にキャスター２１が板状体４１の上面（凹球面４２）で移動し得る機能を残しつつ、板状体４１上でのキャスター２１の移動力を軽減できる（キャスター２１が板状体４１上から脱落しにくくなる）、という機能がある。
【符号の説明】
【００５５】
１は器具（テレビ）、２は載置台、３は固定具、４，４Ａは受皿、２１はキャスター、４１は板状体、４２は凹球面、４３は凸周壁、４４は段上げ部、Ｐは中心である。
【図１】
0003177151.tif 000003
【図２】
0003177151.tif 000004
【図３】
0003177151.tif 000005
【図４】
0003177151.tif 000006
【図５】
0003177151.tif 000007
【図６】
0003177151.tif 000008
【図７】
0003177151.tif 000009